(57)【要約】      （修正有）【課題】信頼性の高い自動等化回路を有する二重系無線伝送方法及び二重系無線伝送装置を提供する。【解決手段】異なる送信装置からの伝送データを受信する受信部と上記受信した伝送データを切替える切換手段と、上記切換手段の出力がそれぞれ供給される第1と第２の自動等化回路と、上記切換手段を制御する切換信号検出手段および上記第1と第２の自動等化回路の出力を取出す出力手段からなり、上記第1と第２の自動等化回路は、互いに異なる等化方式の等化回路であり、上記伝送データからいずれの送信装置からの伝送データであるかを示す切換信号を検出し、上記検出信号により上記切換手段を制御し、上記第1と第２の自動等化回路の出力を選択する。【選択図】図１
2004207829.tif 000002
【特許請求の範囲】
【請求項１】
伝送データをそれぞれ送信する第１の送信装置と第２の送信装置と、上記第1と第2の送信装置の出力を切替える出力切換手段と、上記第1と第2の送信装置の切換信号を発生する切換制御部および上記出力切換手段を制御するタイマー手段を有する二重系無線送信装置において、上記第１の送信装置と第２の送信装置のいずれの送信装置が使用されているかの上記切換信号を上記伝送データに挿入する場合、上記タイマー手段の第1の期間は、上記第１の送信装置の伝送データを選択する第1の切換信号を挿入し、上記タイマー手段の第２の期間は、上記第２の送信装置の伝送データを選択する第2の切換信号を挿入し、上記タイマー手段の制御に基づき上記第１の送信装置と第２の送信装置の出力伝送データを選択して出力することを特徴とする二重系無線送信方法。
【請求項２】
伝送データをそれぞれ送信する第１の送信装置と第２の送信装置と、上記第1と第2の送信装置の出力を切替える出力切換手段と、上記第1と第2の送信装置の切換信号を発生する切換制御部および上記出力切換手段を制御するタイマー手段とからなり、上記切換制御部は、上記第１の送信装置と第２の送信装置のいずれの送信装置が使用されているかの上記切換信号を上記伝送データに挿入する切換信号挿入部を含み、上記切換信号挿入部は、上記タイマー手段の第1の期間は、上記第１の送信装置の伝送データを選択する第1の切換信号を挿入し、上記タイマー手段の第２の期間は、上記第２の送信装置の伝送データを選択する第2の切換信号を挿入するように動作することを特徴とする二重系無線送信装置。
【請求項３】
異なる送信装置からの伝送データを受信する受信部と上記受信した伝送データを切替える切換手段と、上記切換手段の出力がそれぞれ供給される第1と第２の自動等化回路と、上記切換手段を制御する切換信号検出手段および上記第1と第２の自動等化回路の出力を取出す出力手段からなり、上記異なる送信装置からの伝送データは、上記異なる送信装置のいずれの送信装置からの伝送データであるかを示す切換信号および上記伝送データを等化するトレーニング信号を含み、上記第1と第２の自動等化回路は、互いに異なる等化方式の等化回路であり、上記切換信号検出手段は、上記伝送データからいずれの送信装置からの伝送データであるかを示す切換信号を検出し、上記検出信号により上記切換手段を制御し、上記第1と第２の自動等化回路の出力を選択することを特徴とする伝送データ受信装置。
【請求項４】
請求項３記載の伝送データ受信装置において、上記第２の自動等化回路は、０クリア方式の自動等化回路であり、上記第１の自動等化回路は、タップ係数値保持方式、位相補正方式およびリーク方式のいずれか１つの自動等化回路で構成されていることを特徴とする伝送データ受信装置。
【請求項５】
請求項４記載の伝送データ受信装置において、上記第１の自動等化回路は、タップ係数値可変のトランスバーサルフィルタを有し、上記トランスバーサルフィルタに周期的な上記トレーニング信号を含む伝送データを印加する手段と、上記トランスバーサルフィルタの出力を取出す手段と、上記印加された第１のトレーニング信号の引き込み後の第１の位相角を検出する手段と、上記第１のトレーニング信号に続く第２のトレーニング信号の引き込み後の第２の位相角を検出する手段と、上記第１と第２の位相角を比較し、上記比較結果に基づいて上記タップ係数値を補正する手段および上記補正されたタップ係数値で上記トランスバーサルフィルタのタップ係数を制御する手段とからなることを特徴とする伝送データ受信装置。
【請求項６】
請求項５記載の伝送データ受信装置において、上記第１の自動等化回路は、更に、上記第１のトレーニング信号の引き込み後のタップ係数値を減衰する手段を有し、上記減衰された第１のトレーニング信号の引き込み後のタップ係数値の位相角を補正することを特徴とする伝送データ受信装置。
【請求項７】
請求項４記載の伝送データ受信装置において、上記第１の自動等化回路は、
タップ係数値可変のトランスバーサルフィルタを有し、上記トランスバーサルフィルタに周期的なトレーニング信号を含むデジタルデータを印加する手段と、上記トランスバーサルフィルタの出力を取出す手段と、上記周期的なトレーニング信号が到来する度に、上記トレーニング信号の引き込み後のタップ係数値を０クリアする手段と、上記所定のトレーニング信号の引き込み後のタップ係数値を検出する手段と、上記検出されたタップ係数値のメインタップの位相角と前回のトレーニング信号の引き込み後のタップ係数値のメインタップの位相角とを比較する手段と、上記前回のトレーニング信号の引き込み後のタップ係数値に（１−β）（０＜β＜１）を乗じる手段と、上記（１−β）を乗じたタップ係数値を上記比較手段の比較結果に基づいて補正する手段と、上記補正されたタップ係数値と上記所定のトレーニング信号の引き込み後のタップ係数値に定数βを乗じたタップ係数値を乗算する手段および上記乗算手段の出力により上記トランスバーサルフィルタのタップ係数を制御する手段とからなることを特徴とする伝送データ受信装置。
【請求項８】
データを伝送する二重系無線送信装置と上記二重系無線送信装置からの伝送データを受信する伝送データ受信装置とからなる二重系無線伝送装置であって、上記二重系無線送信装置は、伝送データをそれぞれ送信する第１と第２の送信装置と、上記第1と第2の送信装置の出力を切替える出力切換手段と、上記第1と第2の送信装置の切換信号を発生する切換制御部および上記出力切換手段を制御するタイマー手段とからなり、上記切換制御部は、上記第１の送信装置と第２の送信装置のいずれの送信装置が使用されているかの上記切換信号を上記伝送データに挿入する切換信号挿入部を含み、上記切換信号挿入部は、上記タイマー手段の第1の期間は、上記第１の送信装置の伝送データを選択する第1の切換信号を挿入し、上記タイマー手段の第２の期間は、上記第２の送信装置の伝送データを選択する第2の切換信号を挿入するように動作し、上記受信装置は、上記第１と第２の送信装置からの伝送データを受信する受信部と上記受信した伝送データを切替える切換手段と、上記切換手段の出力がそれぞれ供給される第1と第２の自動等化回路と、上記切換手段を制御する切換信号検出手段および上記第1と第２の自動等化回路の出力を取出す出力手段からなり、上記第１と第２の送信装置からの伝送データは、上記第１と第２の送信装置のいずれの送信装置からの伝送データであるかを示す切換信号および上記伝送データを等化するトレーニング信号を含み、上記第1と第２の自動等化回路は、互いに異なる等化方式の等化回路であり、上記切換信号検出手段は、上記伝送データからいずれの送信装置からの伝送データであるかを示す切換信号を検出し、上記検出信号により上記切換手段を制御し、上記第1と第２の自動等化回路の出力を選択することを特徴とする二重系無線伝送装置。
【発明の詳細な説明】
【０００１】
【発明の属する技術分野】
本発明は、デジタル無線装置に関し、特に、伝送系を二重に備えた無線送信装置を切り換えて運用する二重系無線伝送方法および二重系無線伝送装置に関するものである。
【０００２】
【従来の技術】
近年、地上波放送のデジタル化に伴い、デジタル無線伝送装置が用いられるようになっている。特に、公共の放送業務用などの極めて高い信頼性が要求される伝送装置では、実際の放送時の故障に対する耐性や保守作業時の運用性確保、即ち、放送を中断することなく、故障の修理や保守を行う等の見地から信号伝送装置を二重にし、冗長性が与えられるように構成される場合が多い。
【０００３】
このようなデジタル無線伝送装置では、放送信号などの伝送データの他に、無線伝送路の特性変動に対応するために使用される波形等化用基準信号、所謂、トレーニング信号などの非伝送データが一定周期で挿入されて伝送される場合が多い。なお、トレーニング信号については後述する。ここで、デジタル無線伝送装置の送信側において、二重化された送信装置を切り換える際に、非伝送データの伝送期間に切り換えを行なうことで、切り換えに伴うデータの欠落が生じないようにする方式が提案されている。その一例を図１５および１６で説明する。図１５は、二重系デジタル無線伝送装置の送信側装置の構成を示すブロック図、図１６は、その動作を説明するための図である。なお、図１６の横軸は、時間を示している。図１５は、一例として、同一の信号に対して、入力からアンテナの手前までを１号系送信装置１と２号系送信装置２の二重系とし、アンテナ４を共通にした場合のブロック図を示している。
【０００４】
１号系送信装置１と２号系送信装置２には、同じ信号源から１号系信号と２号系信号として分配され、それぞれの装置に入力される。また、同期生成器１２は、非伝送データ挿入信号、例えばトレーニング信号を生成し、１号系非伝送データ挿入部１０、２号系非伝送データ挿入部１１及び同期切換信号発生器９に出力される。これにより１号系非伝送データと２号系非伝送データとは、同期して伝送される。
【０００５】
まず、１号系送信装置１に入力された１号系信号は、１号系非伝送データ挿入部１０に入力される。１号系非伝送データ挿入部１０では、同期生成器１２から供給される非伝送データ挿入信号を一定周期でベースバンドの伝送信号に挿入され、図１６に示す１号系伝送データ（ａ）のように組み合わせデータとして１号系デジタル変調部５に出力される。
【０００６】
同様に、２号系送信装置２に入力された２号系信号は、２号系非伝送データ挿入部１１で非伝送データ挿入信号を一定周期でベースバンドの伝送信号に挿入され、図１６に示す２号系伝送データ（ｂ）のように組み合わせデータとして２号系デジタル変調部６に出力される。また、図１６において、(c)は、非伝送データ挿入同期信号、(d)は、ＲＦ切換制御信号、(e)は、ＲＦ出力切換同期制御信号、(f)は、ＲＦ出力切換器から出力される伝送データの内容を示している。
【０００７】
１号系デジタル変調部５は、入力された組み合わせデータをデジタル変調し、１号系送信周波数変換部７に出力する。１号系送信周波数変換部７は、入力された信号を所定の周波数のＲＦ信号に周波数変換し、ＲＦ出力切換器３に出力され、アンテナ４からＲＦ出力として伝送される。同様に、２号系送信装置２に入力される２号系信号も２号系非伝送データ挿入部１１、２号系デジタル変調部６、２号系送信周波数変換部８を通り、ＲＦ出力切換器３に出力される。
【０００８】
同期切換信号発生器９は、ＲＦ切換動作制御信号を発生し、故障発生時や保守作業時等で１号系送信装置１から２号系送信装置２へ、また逆に、２号系から１号系へ送信の切換えを行なう場合、装置運用者の所定の操作によりＲＦ出力部を切り換える動作をする。即ち、図１６の時刻ｔ０でＲＦ切換制御信号が入力され、１号系から２号系へ切換えの指示があった場合、ＲＦ出力切換動作同期制御信号を生成し、次の非伝送データ同期信号が発生する時刻t1から所定の時間τ遅延させたタイミングでＲＦ切換器３を切り換える。これにより今まで、１号系受信装置１からの信号を送信アンテナ４に出力していたものを、２号系受信装置２からの信号を送信アンテナ４に出力するようにする。従って、この方式は、非伝送データの区間で切り換わるので、伝送データが欠落するのを回避した無瞬断の切換動作を実現することができる。
【０００９】
また、同期生成器を用いない二重系のデジタル無線送信装置が提案されている。その一例を図１７および１８を用いて説明する。図において、図１５と同じものには、同じ符号が付されている。図において、１号系信号非伝送データ挿入部１０′と２号系信号非伝送データ挿入部１１′は、図１８に示す非伝送データ挿入同期信号発生部１１１を内蔵し、それぞれが発生する非伝送データ挿入同期信号を互いに送受信し、かつ、同期切換信号発生器９′にも供給されている。
【００１０】
同期切換信号発生器９′は、１号系送信装置１と２号系送信装置２のどちらの系統が現在使用されているかを示すため、１号系信号非伝送データ挿入部１０′に１号系選択信号を供給し、また、２号系信号非伝送データ挿入部１１′には、２号系選択信号を供給する。
【００１１】
この動作について説明する。例えば、現在１号系送信装置１が使用されている場合、同期切換信号発生器９′は、１号系選択信号を選択側に設定し、２号系選択信号を非選択側に設定する。この場合、１号系送信装置１は、マスター側と位置付け、１号系信号非伝送データ挿入部１０′自身が発生する１号系非伝送データ挿入同期信号によるタイミングで非伝送データの挿入を行う。この時、２号系送信装置２は、スレーブ側と位置付け、１号系信号非伝送データ挿入部１０′から供給される１号系非伝送データ挿入同期信号によるタイミングで、２号系信号非伝送データ挿入部１１′での非伝送データの挿入を行う。また、２号系送信装置２が使用されている場合、２号系信号非伝送データ挿入部１１′自身が発生する２号系非伝送データ挿入同期信号によるタイミングによって、両送信装置の非伝送データの挿入処理を行う。
【００１２】
次に、１号系信号非伝送データ挿入部１０′の具体的構成について図１８を基に説明する。１号系信号非伝送データ挿入部１０′は、非伝送データ挿入同期信号発生部１１１、非伝送データ信号発生部１１２、セレクタ１１３および１１４で構成されている。非伝送データ信号発生部１１２は、非伝送データを発生し、セレクタ１１３の入力端子ｂに出力する。また、１号系信号非伝送データ挿入部１０′に入力された１号系信号は、セレクタ１１３の入力端子ａに入力される。非伝送データ挿入同期信号発生部１１１は、非伝送データ挿入同期信号を発生し、セレクタ１１３の制御入力端子ｄに切換信号として出力される。
【００１３】
セレクタ１１３は、切換信号によって、入力端子ａに入力される１号系信号の間に入力端子ｂから入力される非伝送データを挿入し、その組み合せデータを出力端子ｃから１号系デジタル変調部５に出力する。
【００１４】
セレクタ１１４の入力端子ａには、１号系信号非伝送データ挿入部１０′の内部で発生したリセット信号が供給され、セレクタ１１４の入力端子ｂには、２号系信号非伝送データ挿入部１１′から供給される２号系非伝送データ挿入同期信号が入力され、セレクタ１１４の制御入力端子ｄには、同期切換信号発生器９′から供給される１号系選択信号が入力される。
【００１５】
セレクタ１１４は、１号系選択信号によって、使用されている送信装置の系統を選択し、１号系送信装置１が選択されていれば、入力端子ａからのリセット信号を出力端子ｃから非伝送データ挿入同期信号発生部１１１に出力し、２号系送信装置２が選択されていれば、入力端子ｂからの２号系非伝送データ挿入同期信号を出力端子ｃから非伝送データ挿入同期信号発生部１１１に出力する。非伝送データ挿入同期信号発生部１１１は、その内部のカウンタ回路をセレクタ１１４から入力された信号によってリセットする。これによって、１号系信号非伝送データ挿入部１０′は、非伝送データ伝送期間での切換え動作を行なうことができる。
【００１６】
２号系送信装置２についても上記と同様の動作が行なわれ、２号系信号非伝送データ挿入部１１′が、その内部で発生したリセット信号と１号系信号非伝送データ挿入部１０′からの１号系非伝送データ同期信号とのどちらかを、同期切換信号発生器９′から供給される２号系選択信号によって、非伝送データ伝送期間での切換え動作を行なう。
【００１７】
以上のような構成と制御により、２系統の送信装置１および２の非伝送データの送信期間が一致し、切換時には、図１６に示したタイミングでＲＦ出力の切換が行われ、伝送データが欠落するのを回避した無瞬断の切換動作を実現している。
【００１８】
而して、上述した二重系のデジタル無線送信装置において、非伝送データ区間で切り換えて伝送データが欠落するのを防止する方法を説明したが、この非伝送データでの切り換えに関して、受信側の自動等化器に関してもいろいろな問題があることが明らかになった。以下これについて説明する。
【００１９】
上記従来の装置で説明した二重系のデジタル無線送信装置のアンテナからデジタルの伝送データが送信されるが、伝送路の波形歪やエコーなどが発生する。従って、受信側では、これらを等化するために自動等化器を内蔵した受信装置が良く知られている。この自動等化器を等化状態にするためには、前述したように予め決められたトレーニング信号（図１６に示す非伝送データに相当する）と呼ばれる信号を送信側から、受信側に伝送される。このデジタル伝送データは、例えば、我が国の標準規格（ARIB STD-B11 1.0版）(1997年5月策定、社団法人  電波産業会)では、図５に示すように、19200シンボル（1.2ｍsec）からなるフレームＦの繰返し信号であり、このフレームデータは、255シンボルのトレーニング信号Ｔ（なお、トレーニング信号を総称する時には、トレーニング信号Ｔとし、個々のトレーニング信号を説明する時には、Ｔ１、Ｔ２、・・・と称することにする。）と残りのシンボルをデータ信号Ｄ（同様に、データ信号を総称する場合はデータ信号Ｄ、個々の場合はＤ１、Ｄ２、・・・と称する。）とする信号から構成されている。
【００２０】
このデジタルデータを受信する受信側では、送信側で発生させたトレーニング信号Ｔと全く同じトレーニング信号を発生させて、受信した信号との差をとり、自動等化器のタップ係数値の更新を行ない、等化状態に引き込ませる。
【００２１】
この等化アルゴリズムについては、“適応ディジタル信号処理と自動等化器”（非特許文献１参照）に詳しく解説してあるので、ここでは説明を省略する。
【００２２】
この自動等化器の等化引き込み状況を図６に示す。例えば、トレーニングの等化アルゴリズムは、（１）式のようにするのが一般的である。
【００２３】
（Ｃｎ＋１）＝（Ｃｎ）−α・（Ｘ＊）・(e)・・・・・・・・・・（１）
ここに、Ｃｎは、ｎ時刻のタップ係数値、Ｃｎ＋１は、（ｎ＋１）時刻のタップ係数値、Ｘ＊は、入力信号の共役複素数、eは、等化残誤差、αは、タップ更新ゲインを表す。なお、（１）式に使用されている（）は、（）内の記号が複素信号であることを表している。以下、このような表示を本明細書では、図面を含め複素信号表示とする。
【００２４】
図６は、縦軸に等化残誤差量、横軸に引き込み時間を示し、αをパラメータにした等化引き込み状況を示している。図６から明らかなように、（１）式のタップ更新ゲインαの値の大きさにより、引き込みの様子が異なる。即ち、αを比較的大きくすれば、引き込み時間は短いが、引き込み後の等化残誤差量は大きくなる。また、αを小さくすれば、引き込み等化後の等化残誤差量は小さくなるが、引き込み速度が遅くなり、等化状態に到達するのに時間がかかる。従って、引き込み時間と等化後の等化残誤差との関係は、トレードオフの関係にあり、αを適切な値に決めることが必要になる。なお、αの値は、一般的に0.001あるいは0.002等のような大きさの値であるが、具体的には、等化器を設計する場合の引き込み時間と等化残誤差の目標値を設定し、決定するのが望ましい。
【００２５】
而して、同じαでも等化残誤差が大きい時には、急速に引き込んでいくが、等化残誤差が小さくなるにつれて、その引き込み速度は、だんだんと鈍くなり、時間がかかるようになる。従って、完全に引き込むまでには、相当な時間がかかるので、等化誤差がある程度以下となる時間で打ち切るのが普通である。
【００２６】
図５に示したようなデジタルデータ構成、つまりトレーニング信号Ｔとデータ信号Ｄとを交互に挿入するシステムでは、トレーニング信号Ｔを送出している期間は、データ伝送ができないので、その期間をできるだけ短くしてデータ伝送効率を上げようとする。それとは反対にデータ信号Ｄの期間を長くすれば同様にデータ伝送効率が上がるが、今度は、トレーニング信号Ｔの挿入間隔が長くなって、伝送路の変化に追従できなくなる。従って、使用する伝送路の変化状況によって、トレーニング信号Ｔとデータ信号Ｄの構成比を決めるのが望ましい。こういった意味からトレーニング信号Ｔは、短い方が良いが、等化残誤差が完全に最小値に至らないトレーニング信号Ｔの期間を採用する場合が多くなっている。
【００２７】
また、その等化残誤差をタップ更新ゲインαに対応した最小値にするための方法として、トレーニング信号Ｔで等化した結果のタップ係数値を記憶しておき、次のトレーニング信号Ｔのスタート時に初期値としてこの記憶しておいたタップ係数値を読み出して使用する。そして、トレーニング信号Ｔによる等化引き込みを継続して行ない、更に、そのトレーニング信号Ｔ１での最終のタップ係数値を記憶して、次のトレーニング信号Ｔ２での等化の初期値とすることにより、等化残誤差を順次低減する方法がある。以下このような方式をタップ係数値保持方式と称することにする。
【００２８】
図７は、上述したように前回のタップ係数値を保持し、等化残誤差を順次低減するタップ係数値保持方法を示したものである。即ち、等化器に受信された信号と等化特性を示すもので、トレーニング信号Ｔ１で等化した結果のタップ係数値を記憶しておき、次のトレーニング信号Ｔ２では、前のトレーニング信号Ｔ１で等化した結果のタップ係数値を読み出し、これを初期値としてトレーニング信号Ｔ２で等化し、この結果のタップ係数値を記憶し、次のトレーニング信号Ｔ３では、トレーニング信号Ｔ２で等化した結果のタップ係数値を読み出し等化する。このようにすることによって、長いトレーニング信号で引き込んだ場合と同等の等化効果が得られ、自動等化器が完全に引き込み状態となり、等化残誤差がタップ更新ゲインαにおける最小値に到達させることができることになる。その結果、等化残誤差量を小さくでき、伝送データのビット誤り率が低くなり、データ伝送の誤りが極めて少なくなり、信頼性の高いデジタル伝送システムとすることができる。
【００２９】
図８は、図７に示すタップ係数値保持方式の従来の自動等化器の具体的構成を示すブロック図である。なお、図８において、信号線の太線は、ベクトル量を表わし、細線は、スカラー量を表わしている。以下の各図においても同様である。伝送路から伝送され、復調部で復調されたベースバンド信号（Ｘ）は、入力端子５０に印加される。このベースバンド信号（Ｘ）は、（２）式で表される。
【００３０】
（Ｘ）＝Ｘｉ＋ｊ・Ｘｑ・・・・・・・・・・・・・・・（２）
なお、Ｘｉは、直交座標軸で同相成分、Ｘｑは、直交成分を表す。
このベースバンド信号（Ｘ）は、タップ係数値可変のトランスバーサルフィルタ５１に供給され、トランスバーサルフィルタ５１からは、出力信号Σ（Ｃ）・（Ｘ）が出力され、出力端子５２から自動等化されたデジタルデータが得られる。トランスバーサルフィルタ５１の出力は、演算器（ここでは加算器）５３に印加される。一方、受信側では、送信側で発生したトレーニング信号Ｔと同じ基準信号（Ｒｅｆ）が基準信号発生器（図示せず）で発生され、端子５４に印加される。この基準信号（Ｒｅｆ）は、例えば、６４ＱＡＭ信号では、Ｉ、Ｑ直交座標で決まる基準信号である。加算器５３では、この（Ｒｅｆ）信号とトランスバーサルフィルタ５１の出力信号との差が取られ、その等化残誤差（ｅ）が得られる。入力端子５０に印加されたベースバンド信号（Ｘ）は、共役複素数変換器５５にも印加され、その出力として（３）式で示される共役複素数信号（Ｘ＊）が得られる。
【００３１】
（Ｘ＊）＝Ｘｉ−ｊ・Ｘｑ・・・・・・・・・・・・・・（３）
次に、この共役複素数信号（Ｘ＊）と誤差（ｅ）とが乗算器５６で積算され、更に、乗算器５７でタップ更新ゲインαが積算される。従って、乗算器５７の出力としてα・（Ｘ＊）・(e)が得られ、これが加算器５８に印加される。
【００３２】
５９は、スイッチ回路であり、端子６１には、“（０）”が与えられている。トレーニング信号Ｔがないとき、即ち、スタート時は、スイッチ回路５９は、接点ｄから“（０）”の信号が加算器５８に印加されている。そして、トレーニング信号Ｔが到来すると、スイッチ回路５９の接点は、ｃに切替わり、遅延回路６０からの信号が加算器５８に印加される。遅延回路６０は、遅延時間ＴＢ（１／変調速度）の遅延時間を有し、遅延時間ＴＢだけ遅延させたタップ係数値（Ｃｎ）が加算器５８に印加される。従って、加算器５８の出力は、（１）式に示すものとなり、新しいタップ係数値（Ｃｎ＋１）となる。以後この新しいタップ係数値（Ｃｎ＋１）がトランスバーサルフィルタ５１のタップ係数を更新し、自動等化器３６は動作する。
【００３３】
トレーニング信号Ｔの期間、この等化アルゴリズムにより、等化動作を行なうことにより、トランスバーサルフィルタ５１の特性は、伝送路３３の周波数特性の逆特性となっていき、等化残誤差が最小となり、等化状態になったときには、トランスバーサルフィルタ５１の出力信号は、伝送路の周波数特性を等化した状態となり、歪みのない信号となる。
【００３４】
また、前回のタップ係数値を保持しないで、トレーニング信号Ｔが到来する度にタップ係数値を０にする自動等化回路は、図８の自動等化回路で実現できる。なお、このような方式の自動等化回路を０クリア方式の自動等化回路と称することにする。図８においてトレーニング信号Ｔが到来する度に、スイッチ回路５９の接点は、ｄに接続され、端子６１の“（０）”が加算器５８に印加され、トランスバーサルフィルタ５１のタップ係数値が０クリアされ、その直後にスイッチ回路５９の接点は、ｃに切替わり、遅延回路６０からの信号が加算器５８に印加される。これにより０クリア方式の自動等化回路が実現できる。
【００３５】
【非特許文献１】
“１１．適応ディジタル信号処理と自動等化器”、電子通信学会編、昭和５０年１１月、２３１頁〜２４３頁
【００３６】
【発明が解決しようとする課題】
以上説明したように、自動等化回路には、トレーニング信号Ｔを受信したときに、タップ係数値を全て０クリアして等化引き込み処理を行なう０クリア方式と、前回受信したときに引き込んだタップ係数値の情報を継続して行なうタップ係数値保持方式とがある。そして自動等化回路では、等化残誤差を減少させるためには、０クリア方式よりも、前回受信したときに引き込んだタップ係数値の情報を継続して等化引き込みするタップ係数値保持方式の方が性能が向上することが分かっている。しかしながら先に説明した二重系のデジタル無線装置では、タップ係数値の情報を継続する等化方式にすると、切り換えをしたとき、等化状態が悪くなり、ビットエラーが発生する可能性がある。即ち、デジタル無線装置の性能を上げようとすると、二重系のデジタル無線装置として切り換えが不可能となるが、切り換えを行なおうとすると、前回受信したときに引き込んだタップ係数値の情報を保持できないので、性能を下げたままで使用しなければならないという不都合がある。
【００３７】
本発明の目的は、高信頼性の自動等化回路を有する二重系無線伝送方法および二重系無線伝送装置を提供することである。
【００３８】
本発明の他の目的は、伝送路の特性変化に対しても安定な自動等化方式を用いる二重系無線伝送方法および二重系無線伝送装置を提供することである。
【００３９】
本発明の更に他の目的は、タップ係数値の情報を継続する自動等化方式を用いる二重系無線伝送方法および二重系無線伝送装置を提供することである。
【００４０】
【課題を解決するための手段】
本発明の二重系無線送信方法は、伝送データをそれぞれ送信する第１の送信装置と第２の送信装置と、上記第1と第2の送信装置の出力を切替える出力切換手段と、上記第1と第2の送信装置の切換信号を発生する切換制御部および上記出力切換手段を制御するタイマー手段を有する二重系無線送信装置において、上記第１の送信装置と第２の送信装置のいずれの送信装置が使用されているかの上記切換信号を上記伝送データに挿入する場合、上記タイマー手段の第1の期間は、上記第１の送信装置の伝送データを選択する第1の切換信号を挿入し、上記タイマー手段の第２の期間は、上記第２の送信装置の伝送データを選択する第2の切換信号を挿入し、上記タイマー手段の制御に基づき上記第１の送信装置と第２の送信装置の出力伝送データを選択して出力するように構成される。
【００４１】
また、本発明の二重系無線送信装置は、伝送データをそれぞれ送信する第１の送信装置と第２の送信装置と、上記第1と第2の送信装置の出力を切替える出力切換手段と、上記第1と第2の送信装置の切換信号を発生する切換制御部および上記出力切換手段を制御するタイマー手段とからなり、上記切換制御部は、上記第１の送信装置と第２の送信装置のいずれの送信装置が使用されているかの上記切換信号を上記伝送データに挿入する切換信号挿入部を含み、上記切換信号挿入部は、上記タイマー手段の第1の期間は、上記第１の送信装置の伝送データを選択する第1の切換信号を挿入し、上記タイマー手段の第２の期間は、上記第２の送信装置の伝送データを選択する第2の切換信号を挿入するように動作する。
【００４２】
また、本発明の伝送データ受信装置は、異なる送信装置からの伝送データを受信する受信部と上記受信した伝送データを切替える切換手段と、上記切換手段の出力がそれぞれ供給される第1と第２の自動等化回路と、上記切換手段を制御する切換信号検出手段および上記第1と第２の自動等化回路の出力を取出す出力手段からなり、上記異なる送信装置からの伝送データは、上記異なる送信装置のいずれの送信装置からの伝送データであるかを示す切換信号および上記伝送データを等化するトレーニング信号を含み、上記第1と第２の自動等化回路は、互いに異なる等化方式の等化回路であり、上記切換信号検出手段は、上記伝送データからいずれの送信装置からの伝送データであるかを示す切換信号を検出し、上記検出信号により上記切換手段を制御し、上記第1と第２の自動等化回路の出力を選択するように構成される。
【００４３】
また、本発明の伝送データ受信装置において、上記第２の自動等化回路は、０クリア方式の自動等化回路であり、上記第１の自動等化回路は、タップ係数値保持方式、位相補正方式およびリーク方式のいずれか１つの自動等化回路で構成される。
【００４４】
また、本発明の伝送データ受信装置において、上記第１の自動等化回路は、タップ係数値可変のトランスバーサルフィルタを有し、上記トランスバーサルフィルタに周期的な上記トレーニング信号を含む伝送データを印加する手段と、上記トランスバーサルフィルタの出力を取出す手段と、上記印加された第１のトレーニング信号の引き込み後の第１の位相角を検出する手段と、上記第１のトレーニング信号に続く第２のトレーニング信号の引き込み後の第２の位相角を検出する手段と、上記第１と第２の位相角を比較し、上記比較結果に基づいて上記タップ係数値を補正する手段および上記補正されたタップ係数値で上記トランスバーサルフィルタのタップ係数を制御する手段とから構成される。
【００４５】
また、本発明の伝送データ受信装置において、上記第１の自動等化回路は、更に、上記第１のトレーニング信号の引き込み後のタップ係数値を減衰する手段を有し、上記減衰された第１のトレーニング信号の引き込み後のタップ係数値の位相角を補正するように構成される。
【００４６】
また、本発明の伝送データ受信装置において、上記第１の自動等化回路は、
タップ係数値可変のトランスバーサルフィルタを有し、上記トランスバーサルフィルタに周期的なトレーニング信号を含むデジタルデータを印加する手段と、上記トランスバーサルフィルタの出力を取出す手段と、上記周期的なトレーニング信号が到来する度に、上記トレーニング信号の引き込み後のタップ係数値を０クリアする手段と、上記所定のトレーニング信号の引き込み後のタップ係数値を検出する手段と、上記検出されたタップ係数値のメインタップの位相角と前回のトレーニング信号の引き込み後のタップ係数値のメインタップの位相角とを比較する手段と、上記前回のトレーニング信号の引き込み後のタップ係数値に（１−β）（０＜β＜１）を乗じる手段と、上記（１−β）を乗じたタップ係数値を上記比較手段の比較結果に基づいて補正する手段と、上記補正されたタップ係数値と上記所定のトレーニング信号の引き込み後のタップ係数値に定数βを乗じたタップ係数値を乗算する手段および上記乗算手段の出力により上記トランスバーサルフィルタのタップ係数を制御する手段とから構成される。
【００４７】
更にまた、本発明は、データを伝送する二重系無線送信装置と上記二重系無線送信装置からの伝送データを受信する伝送データ受信装置とからなる二重系無線伝送装置であって、上記二重系無線送信装置は、伝送データをそれぞれ送信する第１と第２の送信装置と、上記第1と第2の送信装置の出力を切替える出力切換手段と、上記第1と第2の送信装置の切換信号を発生する切換制御部および上記出力切換手段を制御するタイマー手段とからなり、上記切換制御部は、上記第１の送信装置と第２の送信装置のいずれの送信装置が使用されているかの上記切換信号を上記伝送データに挿入する切換信号挿入部を含み、上記切換信号挿入部は、上記タイマー手段の第1の期間は、上記第１の送信装置の伝送データを選択する第1の切換信号を挿入し、上記タイマー手段の第２の期間は、上記第２の送信装置の伝送データを選択する第2の切換信号を挿入するように動作し、上記受信装置は、上記第１と第２の送信装置からの伝送データを受信する受信部と上記受信した伝送データを切替える切換手段と、上記切換手段の出力がそれぞれ供給される第1と第２の自動等化回路と、上記切換手段を制御する切換信号検出手段および上記第1と第２の自動等化回路の出力を取出す出力手段からなり、上記第１と第２の送信装置からの伝送データは、上記第１と第２の送信装置のいずれの送信装置からの伝送データであるかを示す切換信号および上記伝送データを等化するトレーニング信号を含み、上記第1と第２の自動等化回路は、互いに異なる等化方式の等化回路であり、上記切換信号検出手段は、上記伝送データからいずれの送信装置からの伝送データであるかを示す切換信号を検出し、上記検出信号により上記切換手段を制御し、上記第1と第２の自動等化回路の出力を選択するように構成される。
【００４８】
【発明の実施の形態】
図３は、本発明の一実施例の二重系デジタル無線伝送装置の送信側装置の概略構成を示すブロック図である。なお、図１５と同じものには、同じ符号が付されている。１３は、同期切換信号発生回路、１４は、タイマー回路、１５は、同期信号発生回路、１６は、１号系信号入力端子、１７は、伝送クロック入力端子、１８は、ＲＦ切替え信号入力端子、１９は、２号系信号入力端子である。
【００４９】
図４は、図3に示す本発明の二重系デジタル無線伝送装置の送信側装置の動作を説明するためのタイミングチャートを示す。まず、１号系送信装置１から２号系送信装置２に切り換える場合を考える。ＲＦ切替え信号入力端子１８に印加された切換信号ＳＷ１が同期切換信号発生回路１３に入力されると、タイマー回路１４が所定時間動作するように構成されている。即ち、図４では、タイマーＴＳの動作をＯＮ−ＯＦＦで示している。
【００５０】
そして、タイマーＴＳがＯＦＦの状態では、この切換用制御信号として、１号系送信装置１側では、Ａ（例えば、１ビットの信号で与えることもできる。）という信号を１号系信号非伝送データ挿入部１０により挿入する。また、タイマーがＯＮの状態では、Ｂという信号を同様に２号系信号非伝送データ挿入部１１で挿入する。これら信号ＡおよびＢは、図4では、トレーニング信号Ｔの直後に切換用制御信号として付加されている状態が示されている。しかし、これら信号ＡおよびＢは、必ずしもトレーニング信号の直後でなくても、データ信号Ｄのフォーマット構成の中に含めることも可能であり、特にその位置は、これらに限定されるものではない。ここでは、説明の都合上、トレーニング信号Ｔの直後とする。従って、本実施例では、同期信号発生回路１５は、トレーニング信号Ｔと１号系送信装置１側か、２号系送信装置２側かを示す信号ＡおよびＢを発生する機能を有する。
【００５１】
この信号は、デジタル変調部５で変調され、送信周波数変換部７にて、必要な周波数の信号に変換され、切換回路３に入力される。切換回路３は、通常は、接点がｃ側となっており、１号系出力信号ＳＯ１としてアンテナ４から送信される。
【００５２】
而して、切換信号ＳＷ１が変化したときから、トレーニング信号に同期した信号が同期切換信号発生回路１３からタイマー回路１４に出力される。タイマーＴＳがＯＮしている時間は、例えば、トレーニング信号Ｔとデータ信号Ｄで構成されている１周期の期間である。タイマーＴＳがＯＮから再びＯＦＦに戻った時点で切換回路３の接点をｃ側からｄ側に切り換えられ、切換回路３の出力として２号系出力信号ＳＯ２がアンテナ４から出力される。なお、タイマーＴＳは、ＯＮ期間をトレーニング信号Ｔとデータ信号Ｄで構成されている１周期の期間と説明したが、１周期以上であっても良いことは勿論である。従って、アンテナ４の出力としては、１号系送信装置１からの出力信号と２号系送信装置２からの出力信号とが切換回路３によって切換わり、図４に示したようなＲＦ送出信号ＳＲＴとなる。
【００５３】
次に、受信側について、図１および図２を基に説明する。図２は、本発明の一実施例の二重系デジタル無線伝送装置の受信側装置の概略構成を示すブロック図であり、図１は、図２に示すデジタル復調部の一実施例を説明するための概略構成を示すブロック図である。図１において、２０は、送信側から送られるＲＦ送出信号ＳＲＴを受信するアンテナ、２１は、受信周波数変換部で、所定の周波数帯の信号（通常は、中間周波数（ＩＦ）信号）に変換される。２２は、デジタル復調部で、ここで復調された信号は、出力端子２３から出力され、必要な信号処理を行って、モニタ（図示せず。）等に表示される。
【００５４】
図１において、受信周波数変換部２１の出力は、入力端子２５を介して復調部２６に印加され、ここでベースバンド信号に変換される。次に、このベースバンド信号を自動等化するため、切換回路２７に印加される。２８は、タップ係数値保持方式、位相補正方式またはリーク方式（これらについては後述する。）の自動等化回路で構成されている。２９は、０クリア方式自動等化回路で構成されている。なお、以下の説明では、装置構成（ハードウェアのイメージ）で説明するが、実際は、信号処理プロセッサのソフトウェアの変更で、これらの方式を変更できることは言うまでもない。また、ハードウェアで構成した場合でも、図１に示したような自動等化機能のブロック全体を切り換えずに、共通する部分はそのままとして、相違する部分だけを切り換えるように構成することも可能である。３０は、切換回路、３１は、切換制御信号検出回路、３２は、データ変換回路である。
【００５５】
図１の動作を図４を用いて説明する。切換制御信号検出回路３１は、受信されたＲＦ送出信号ＳＲＴに含まれている切換信号ＡおよびＢを検出し、図４に示すスイッチ切換信号ＳＷ２を発生し、切換回路２７および３０に印加する。即ち、切換制御信号検出回路３１は、トレーニング信号の直後に挿入した切換用制御信号をＡか、Ｂかを検出し、Ａという情報を検出した場合には、切換回路２７および３０の接点をａ側にし、Ｂという情報を検出した場合には、接点をｂ側にする。切換回路２７および３０がａ側に接続されている時は、１号系送信装置１からの信号を受信しており、この場合、受信信号は、タップ係数値保持方式、位相補正方式またはリーク方式の自動等化回路２８で自動等化される。なお、図4では、リーク方式の自動等化動作ＡＥを一例として示している。
【００５６】
一方、切換回路２７および３０がｂ側に接続されている時は、２号系送信装置２からの信号を受信しており、この場合、受信信号は、０クリア方式の自動等化回路で自動等化される。自動等化回路で等化された信号は、データ変換回路３２で必要な信号形態に変換され、出力端子３３から出力される。
【００５７】
以上説明したように故障の修理や保守を行う等のために、送信側で２号系送信装置２に切換えた信号部分は、受信側では、自動等化器が０クリア方式であり、それ以外の期間では、タップ係数値保持方式、位相補正方式またはリーク方式の自動等化を行っている。
【００５８】
なお、０クリア方式の自動等化回路は、例えば、図８に示したようにトレーニング信号Ｔが到来する度にトランスバーサルフィルタのタップ係数を０クリアすることで実現できるし、また、タップ係数値保持方式の自動等化回路は、図8に示すように最初のトレーニング信号Ｔが到来する時のみ０クリアし、以後は、タップ係数値を保持する方式の自動等化回路が使用可能である。
【００５９】
次に、更に改良された方式の自動等化回路について、以下に説明する。なお、この改良された方式の自動等化回路については、本出願人が先に出願した特願２００２−３３３４７５（２００２年１１月１８日出願）に詳しく説明されている。
【００６０】
図９は、本発明に使用される自動等化回路のブロック図を示すもので、ナイキスト間隔でサンプリングする構成のものが示されている。一般に、伝送路の特性が変化した場合、図8に示す従来の自動等化回路では、等化残誤差量が最小に到達しなかったり、逆に等化残誤差量が増える場合がある。例えば、伝送路で周波数に変化があった場合等は、トレーニング信号Ｔの位相も異なるので、タップ係数値を保持する方式のものは、継続した等化引込にならない状態となる。図９は、このような周波数に変化があった場合、それを補正するような自動等化回路であり、これを位相補正方式の自動等化回路と呼ぶことにする。なお、図９において、図８と同じものには、同じ符号が付されている。ベースバンド信号（Ｘ）が入力端子５０を介して、トランスバーサルフィルタ５１に印加される。トランスバーサルフィルタ５１の詳細な構成は、図１０に示される。即ち、図１０は、従来周知のナイキスト間隔でサンプリングされるトランスバーサルフィルタ５１を示し、９０−１、９０−２、・・・９０−ｎは、遅延時間ＴＢ（１／変調速度）を有する遅延回路である。９１−１、９１−２、・・・９１−ｎ、９１−（ｎ＋１）は、乗算器で、それぞれの乗算器には、タップ係数入力端子９２−１、９２−２、・・・９２−ｎ、９２−（ｎ＋１）が設けられ、ｎ時刻のタップ係数値が加算器５８から印加される。乗算器９１−１、９１−２、・・・９１−ｎ、９１−（ｎ＋１）の出力信号は、加算器９３で加算され、その出力としてΣ（Ｃ）・（Ｘ）が得られる。なお、図１１で示すトランスバーサルフィルタ５１の動作は、従来から良く知られているので、ここでは説明を省略する。
【００６１】
さて、トランスバーサルフィルタ５１の出力Σ（Ｃ）・（Ｘ）は、図８で説明したと同様に、演算器５３で受信側で発生させたトレーニング信号（Ｒｅｆ）との誤差（ｅ）を検出する。この誤差（ｅ）は、乗算器５６に印加すると同時に、位相角度検出器８０に印加される。位相角度検出器８０では、基準となる直交座標軸上で、現在受信しているトレーニング信号の位相角（θnew）を演算し、加算器８１に出力する。
【００６２】
一方、前回のトレーニング信号にて引き込んだタップ係数値（Ｃｎ）のメインタップ係数値の角度（θold）を位相角度検出器８５で計算する。なお、８４は、遅延回路で、遅延回路８４の遅延時間ＴＦは、加算器８１に印加される位相角（θnew）および（θold）の遅延時間が一致するように選ばれる。この遅延回路８４から得られるタップ係数値（Ｃｎ）は、前回のトレーニング信号Ｔを等化した結果なので、タップ係数値がトレーニング信号の位相角を表わしている。
【００６３】
従って、演算器８１の出力として、位相角（θnew）および（θold）の位相差（Δθ）が算出される。これは、前回のトレーニング信号を受信したときのキャリヤ周波数の位相と現在受信しているトレーニング信号のキャリヤ周波数の位相との差を演算したことになる。この位相差（Δθ）は、位相回転用複素変換回路８２で、（４）式で示される補正信号（ｅｊθ）を発生し、乗算器８３に印加する。
【００６４】
（ｅｊθ）＝ｃｏｓθ＋ｊ・ｓｉｎθ・・・・・・・・・・・（４）
乗算器８３では、遅延回路８４で記憶していたタップ係数値（Ｃｎ）を回転し、現在受信中のトレーニング信号のキャリヤ周波数の位相θnewに合わせる。即ち、補正された信号となる。この信号がスイッチ回路５９の接点ｄに印加され、トレーニング信号到来時の最初に乗算器８３にてΔθ回転させれば、次からは、スイッチ回路５９の接点をｄ側からｃ側に切り換える。スイッチ回路５９の動作を図１０により説明する。トレーニング信号Ｔ１が到来すると、スイッチ回路５９の接点は、接点ｄにあり、乗算器８３から補正された信号が加算器５８に印加される。次に、スイッチ回路５９の接点は、ｃ側に切り換えられ、遅延回路６０の出力（Ｃｎ）が加算器５８に加えられ、この状態が次ぎのトレーニング信号Ｔ２が到来するまで続く。
【００６５】
このようにすることにより、トレーニング信号Ｔを受信した先頭で新しいキャリヤ周波数の位相に合わせた状態から等化引き込みが行われるので、伝送路３３で周波数が変化しても、等化引き込みを継続できるようになり、等化残誤差量（ｅ）を最小値までもっていくことができる。
【００６６】
更に、本発明に使用する自動等化回路の他の一実施例を図１１を用いて説明する。図１１は、ダブルサンプリング構成の自動等化回路が示されている。なお、図９と同じものには、同じ符号が付されている。ベースバンド信号（Ｘ）が入力端子５０を介して、トランスバーサルフィルタ５１に印加される。トランスバーサルフィルタ５１の詳細な構成は、図１２に示される。即ち、図１２は、従来周知のダブルサンプリング構成のトランスバーサルフィルタ５１を示し、９５−１、９５−２、・・・９５−ｎは、遅延時間ＴＢ／２を有する遅延回路である。９６−１、９６−２、・・・９６−ｎ、９６−（ｎ＋１）は、乗算器で、それぞれの乗算器には、タップ係数入力端子９７−１、９７−２、・・・９７−ｎ、９７−（ｎ＋１）が設けられ、ｎ時刻のタップ係数値が加算器５８から印加される。乗算器９６−１、９６−２、・・・９６−ｎ、９６−（ｎ＋１）の出力信号は、加算器９８で加算され、その出力としてΣ（Ｃ）・（Ｘ）が得られる。
【００６７】
なお、図１２で示すトランスバーサルフィルタ５１は、遅延回路９５−１、９５−２、・・・９５−ｎの遅延時間が図９に示すトランスバーサルフィルタ５１の遅延回路の遅延時間が１／２になったもので、ナイキストサンプリングの場合とほぼ同じ構成である。従って、図１２で示すトランスバーサルフィルタ５１の詳細な動作説明は、従来から良く知られているので省略する。
【００６８】
而して、ダブルサンプリング構成の自動等化器は、文献IEEE TRANSACTION ONCOMMUNICATIONS, VOL. COM-24, NO. 8, AUGUST 1979, 856頁―864頁“Fractional Tap-Spacing Equalizer and Consequences for Clock Recovery in Data Modems”に示されている。この文献によると、長い時間のタップ更新に対して、タップ係数値のドリフト現象があるために、その対策としてリーク機能が必要となることが記載されている。
【００６９】
従って、図１１に示す本発明の実施例では、遅延回路８４の出力をリーク機能を有する乗算器１００を介して乗算器８３に印加される。この乗算器１００は、トレーニング信号Ｔ毎にリーク動作をする機能を有する。即ち、スイッチ回路５９は、図８で述べたようにトレーニング信号Ｔ１を受信して、タップ更新を開始する寸前には、接点ｄ側にあり、前回受信したトレーニング信号（Ｃ'ｎ）に（１−β）（ここに、０＜β＜１の定数である。）を乗算する。このβは非常に小さな値であり、前回のトレーニング信号での結果のタップ係数値をほんの少し減ずる（リークさせる）ことになる。
【００７０】
前回受信したトレーニング信号（Ｃ'ｎ）に（１−β）を乗算された信号は、乗算器８３で位相差分（Δθ）だけ回転させる。そして、一旦、（１−β）を乗じた後は、スイッチ回路５９は、接点をｃ側にして、図９に示す自動等化器と同様の動作を行なう。なお、このように前回のトレーニング信号での結果のタップ係数値をほんの少し減ずる方式の自動等化回路をリーク方式の自動等化回路と呼ぶことにする。
【００７１】
更にまた、本発明に使用する自動等化回路の更に他の一実施例を図１３および図１４を用いて説明する。この実施例は、位相補正方式の自動等化回路とリーク方式の自動等化回路を組み合わせた方式の自動等化回路である。図１３において、図１１と同じものには、同じ符号が付されている。また、図１４は、図１３の自動等化回路の各スイッチ回路の動作を説明するタイムチャートを示す図である。なお、図１３に示すトランスバーサルフィルタ５１には、図１０および図１２に示すトランスバーサルフィルタ５１が使用可能である。
【００７２】
図１３に示すスイッチ回路１２１は、図１４のＳＷ１２１に示すようにトレーニング信号Ｔの開始から終了直前までは、接点ｂに接続され、トレーニング信号Ｔの終了直前からデータＤの期間は、接点ａに接続されている。また、スイッチ回路５９は、図１４のＳＷ５９で示されるタイミングでスイッチされ、端子６１には、“（０）”の信号が印加される。従って、スイッチ回路１２１が接点ｂに接続されている期間は、図８に示す自動等化回路と全く同じ構成となり、動作もこれと全く同じである。そしてスイッチ回路１２１がトレーニング信号Ｔの終了直前に接点ａに切り換えられ、後述する位相補正およびリーク機能を付加され、更新されたタップ係数値がトランスバーサルフィルタ５１に与えられる。
【００７３】
次に、スイッチ回路１２２は、図１４のＳＷ１２２に示すようなタイミングでトレーニング信号Ｔの期間中にＯＮされ、遅延回路６０に加えられるタップ係数値（Ｃｎ）を引き込み、乗算器１２３および位相角度検出器８０に加えられる。位相角度検出器８０では、引き込んだタップ係数値に対してメインタップ（中央タップ）の位相角（θnew）を検出する。また、前回トレーニング信号Ｔを受信したとき引き込んだタップ係数値（Ｃ'ｎ）は、遅延回路８４に記憶されており、位相角度検出器８５では、このメインタップの位相角（θold）を検出する。これら位相角（θnew）と位相角（θold）が加算器８１で加算（ここでは減算）され、位相角差（Δθ）が求められ、位相回転複素変換器８２で位相回転され、スイッチ回路１２５を介して、乗算器８３に入力される。
【００７４】
一方、この乗算器８３には、前回トレーニング信号でのタップ係数値（Ｃ'ｎ）にリーク処理即ち（１−β）を乗算した信号が入力される。その結果、リークしたタップ係数値を（Δθ）分回転したことになる。なお、スイッチ回路１２５は、図１４のＳＷ１２５で示すタイミングで接点ｅ、ｆが切り換わるように動作する。即ち、トレーニング信号Ｔの開始から終了直前までは接点ｆに接続され、端子１２６の信号“（１）”（＝１＋ｊ・０）が入力され、回転しないようになっている。また、トレーニング信号Ｔの終了直前からデータＤの期間は、接点ｅに接続され、（Δθ）分回転する動作をする。
【００７５】
加算器１２４では、この回転したタップ係数値から、今回、０クリアして引き込ませたタップ係数値に、βをかけた値を引く。この構成により、前回のタップ係数値に対して、現在のトレーニング信号Ｔで引き込んだタップ係数値を、（１−β）：βの割合で加えていくことにより、目的とする複数のトレーニング信号Ｔを継続してタップ更新するのと等価な動作とすることができる。従って、図１４に示すようにトレーニング信号Ｔ１、Ｔ２、・・・の引き込み後のタップ係数値のように順次等化残誤差が減少する自動等化器を実現することができる。
【００７６】
以上、本発明について詳細に説明したが、本発明は、ここに記載された二重系無線伝送方法および二重系無線伝送装置に限定されるものではなく、上記以外のデジタル無線伝送方法およびデジタル無線伝送装置に広く適応することが出来ることは、言うまでも無い。
【００７７】
【発明の効果】
以上説明したように公共の放送業務用などの極めて高い信頼性が要求される伝送装置では、実際の放送時の故障に対する耐性や保守作業時の運用性確保のため、放送を中断することなく、故障の修理や保守を行う等の見地から信号伝送装置を二重にし、冗長性が与えられるように構成される。この二重系の信号伝送装置からの信号を受信する側では、伝送信号を自動等化する必要があり、二重系の信号送信装置を切り換えたときにも、等化状態がよく、ビットエラーの発生の少ない自動等化回路を有する二重系無線伝送方法および二重系無線伝送装置を実現でき、その効果は、極めて大きい。
【００７８】
また、本発明は、切り換えを実行するときに、一時的に自動等化器の等化方式を０クリア方式に切り換え、切り換えが実行されれば、また、継続方式に戻すようにしている。そうすれば、通常の使用時には、継続方式にて性能が向上した状態で使用でき、切り換え時は、一時的に０クリア方式にするが、これは切り換えが頻繁に行なわれるわけではなく、アラーム発生時や保守点検時のみといった非常に稀なので、多少性能が下がってもほとんど影響を受けない二重系無線伝送方法および二重系無線伝送装置を実現できる。
【図面の簡単な説明】
【図１】本発明の受信側装置のデジタル復調部の一実施例を説明するためのブロック図である。
【図２】本発明の一実施例の二重系デジタル無線伝送装置の受信側装置の概略構成を示すブロック図である。
【図３】本発明の一実施例の二重系デジタル無線伝送装置の送信側装置の概略構成を示すブロック図である。
【図４】本発明の一実施例の二重系デジタル無線伝送装置の送信側装置の動作タイミングを説明するための図である。
【図５】本発明に使用するデジタルデータの一例を示す図である。
【図６】トレーニング信号受信による自動等化回路の引込み状態を説明する図である。
【図７】複数のトレーニング信号を使用した場合の自動等化の動作を説明する図である。
【図８】従来の自動等化回路の一例を示すブロック図である。
【図９】本発明の二重系デジタル無線伝送装置に使用される自動等化回路の一実施例を示す図である。
【図１０】図９に示す自動等化回路に用いられるトランスバーサルフイルタの一例を示す図である。
【図１１】本発明の二重系デジタル無線伝送装置に使用される自動等化回路の他の一実施例を示す図である。
【図１２】図１１に示す自動等化回路に用いられるトランスバーサルフイルタの一例を示す図である。
【図１３】本発明の二重系デジタル無線伝送装置に使用される自動等化回路の更に他の一実施例を示す図である。
【図１４】図１３に示す自動等化回路の動作タイミングを説明するための図である。
【図１５】従来の二重系デジタル無線伝送装置の送信側装置の一例を説明するブロック図である。
【図１６】図１５に示す送信側装置の動作を説明するための図である。
【図１７】従来の二重系デジタル無線伝送装置の送信側装置の他の一例を説明するブロック図である。
【図１８】図１７に示す非伝送データ挿入部の具体的構成を示すブロック図である。
【符号の説明】
１：１号系送信装置、２：２号系送信装置、３：出力切換器、４、２０：アンテナ、５、６：デジタル変調部、７、８：周波数変換部、１０、１１：非伝送データ挿入部、１３：同期切換信号発生回路、１４：タイマー回路、１５：同期信号発生回路、１６：１号系信号入力端子、１７：伝送クロック入力端子、１８：ＲＦ切替え信号入力端子、１９：２号系信号入力端子、２１：受信周波数変換部、２２：デジタル復調部、２３：出力端子、２５：入力端子、２６：復調部、２７、３０：切換回路、２８、２９：自動等化回路、３１：切換制御信号検出回路、３２：データ変換回路、３３：出力回路。
【図１】
2004207829.tif 000003
【図２】
2004207829.tif 000004
【図３】
2004207829.tif 000005
【図４】
2004207829.tif 000006
【図５】
2004207829.tif 000007
【図６】
2004207829.tif 000008
【図７】
2004207829.tif 000009
【図８】
2004207829.tif 000010
【図９】
2004207829.tif 000011
【図１０】
2004207829.tif 000012
【図１１】
2004207829.tif 000013
【図１２】
2004207829.tif 000014
【図１３】
2004207829.tif 000015
【図１４】
2004207829.tif 000016
【図１５】
2004207829.tif 000017
【図１６】
2004207829.tif 000018
【図１７】
2004207829.tif 000019
【図１８】
2004207829.tif 000020